(57)【要約】【課題】操作が極めて簡便な経管栄養剤の注入装置を提供する。【解決手段】経管栄養剤の注入装置１０は、経管栄養剤Ｆを収容する無色透明なガラス製の栄養剤収納容器１１と、栄養剤収納容器１１の開口部１１ｂへ螺合される蓋部１２と、蓋部１２に対して着脱可能に挿着されるポンプディスペンサ部１３とを備える。栄養剤収納容器１１の底部１１ａの内径φ１に対する栄養剤収納容器１１の開口部１１ｂの内径φ２は７０％以上である。ポンプディスペンサ部１３は、蓋部１２から外方へ突出して栄養剤収納容器１１の軸Ｌ方向に往復動する受圧操作部１３ａと、受圧操作部１３ａの往復動に連動して栄養剤収納容器１１内の経管栄養剤Ｆを栄養剤収納容器１１外へ吐出するポンプ部１３ｂとを備える。【選択図】  図１
2013022157.tif 000002
【特許請求の範囲】
【請求項１】
５〜１０ｃｍの直径を有する開口部を上面に備えた、容積が５００ｍｌ以上のガラス製の栄養剤収納容器と、
前記開口部に着脱可能に係止され、かつ貫通口を備えた、５〜１０ｃｍの外周直径を有する蓋部と、
前記貫通口に着脱可能に係止され、前記栄養剤収納容器内の内容物を外部に吐出可能に構成されるポンプディスペンサ部と、
を備えた経管栄養剤の注入装置。
【請求項２】
前記栄養剤収納容器は無色透明なガラス製である、請求項１に記載の経管栄養剤の注入装置。
【請求項３】
前記栄養剤収納容器は有底円筒形である、請求項１または請求項２に記載の経管栄養剤の注入装置。
【請求項４】
前記栄養剤収納容器内に収容されたチューブを備え、
前記チューブの基端部は前記ポンプディスペンサ部に対して着脱可能に挿着され、前記チューブの先端部は前記栄養剤収納容器内の底部に位置する、請求項１〜３のいずれか１項に記載の経管栄養剤の注入装置。
【発明の詳細な説明】
【技術分野】
【０００１】
本発明は経管栄養剤の注入装置に関する。
【背景技術】
【０００２】
嚥下障害のある高齢者や、疾患または手術により口腔から食物を摂食できない患者には、患者に造設した胃瘻の瘻孔に胃瘻チューブを挿入し、その胃瘻チューブを介してゲル化した流動物である経管栄養剤を胃内に直接注入するＰＥＧ（Percutaneous Endoscopic Gastrostomy：経皮内視鏡的胃瘻造設術）栄養療法が用いられる。
胃瘻チューブに経管栄養剤を注入するには、注射器を用いる方法や、専用の注入装置（特許文献１〜３参照）を用いる方法がある。
【先行技術文献】
【特許文献】
【０００３】
【特許文献１】特開２００９−１０６３５９号公報
【特許文献２】特開２００９−２２６２０９号公報
【特許文献３】特開２０１０−９９４０６号公報
【発明の概要】
【発明が解決しようとする課題】
【０００４】
ＰＥＧ栄養療法において、一回に注入する経管栄養剤は５００cc以上である。そのため、容量が５０cc程度の注射器を用いる方法では、胃瘻チューブへ注射器を抜き差しする操作と注射器の吸上・注入操作とをそれぞれ１０回以上も繰り返さなければならず、操作に力と手間がかかることに加え、胃瘻チューブへ注射器を抜き差しする際に経管栄養剤がこぼれ易いという問題がある。
また、特許文献１〜３に開示されるような従来の注入装置は、構造が複雑であるため、高価であることに加え、取り扱いが難しいという問題がある。
特に、近年増加している老老介護の現場において、経済的に恵まれず体力・知力が衰えた老人の介護者にとっては、注射器や従来の注入装置を購入して使用することが困難であり、ＰＥＧ栄養療法の普及を妨げる要因となっている。
【０００５】
これらの問題を解決するために、各家庭等の介護現場においては、代替的にシャンプーボトルやドレッシングボトル等が経管栄養剤の注入用容器として利用されている。
しかしながら、ドレッシングボトルにおいては、容器側面を押圧することによって内容物を吐出させるため、握力の衰えた高齢者には操作が困難であった。また、シャンプーボトルにおいては、細いポンプディスペンサのネック部分をシャンプーボトルに螺合しなければならず、手先が不自由で握力の衰えた高齢者には煩雑であった。
【０００６】
そして、シャンプーボトルやドレッシングボトルでは、口径が小さいため、洗浄に時間がかかり、専用のブラシなどが必要であるが、専用のブラシを用いても、ボトルの底隅部分や肩部分を洗浄することは難しい。
さらに、経管栄養剤はカロリーを増大させるために相当量の脂肪分を含むが、シャンプーボトルやドレッシングボトルはプラスチック製であるため、経管栄養剤が付着しやすく洗浄が難しい。
医療を必要とする高齢者や患者へ経管栄養剤を注入することを考慮すると、洗浄を確実にして衛生的にすることが重要であるが、シャンプーボトルやドレッシングボトルを確実に洗浄しようとすれば、洗浄液に浸漬して超音波洗浄機等を用いるか、或いは、強力な洗浄力を有する薬剤を用いての洗浄が必要となる。
本発明は、前記問題を解決し、操作が極めて簡便な経管栄養剤の注入装置を提供することを目的とする。
【課題を解決するための手段】
【０００７】
＜第１の局面＞
第１の局面の経管栄養剤の注入装置は、
５〜１０ｃｍの直径を有する開口部を上面に備えた、容積が５００ｍｌ以上のガラス製の栄養剤収納容器と、
前記開口部に着脱可能に係止され、かつ貫通口を備えた、５〜１０ｃｍの外周直径を有する蓋部と、
前記貫通口に着脱可能に係止され、前記栄養剤収納容器内の内容物を外部に吐出可能に構成されるポンプディスペンサ部と、を備える。
【０００８】
第１の局面によれば、蓋部とポンプディスペンサ部とを栄養剤収納容器から取り外すことによって、該栄養剤収納容器の開口部から経管栄養剤を容易に注入することができる。次いで、蓋部を栄養剤収納容器に係止させ、さらにポンプディスペンサ部を蓋部に係止させることによって、極めて容易に経管栄養剤を収納した注入装置を用意することができる。
【０００９】
そして、蓋部とポンプディスペンサ部とを別々の構成としたことにより、蓋部は、手で容易に把持することができる大きさに形成されている。従って、栄養剤収納容器とポンプディスペンサ部の細いネック部を螺合などによって固定する必要がない、また、ポンプディスペンサ部は、単に蓋部に係止されていればよい。このため、手先が不自由であったり、或いは握力の衰えた高齢者であっても、極めて容易に設置することができる。
介護者は、ポンプディスペンサ部の押圧などの簡単な操作により、ポンプディスペンサ部から栄養剤収納容器内の経管栄養剤を吐出させ、経管栄養剤を患者に注入することができる。
【００１０】
即ち、栄養剤収納容器は、５００ｍｌ以上の容量を有しているために、患者に対する一回の経管栄養剤注入量を全て収納することができ、何回も容器に経管栄養剤を注入する操作を繰り返す必要がない。尚、容器容量は、一回に必要な経管栄養剤の注入量に応じて、適宜設定することができる。
経管栄養剤を注入した後には、栄養剤収納容器、蓋部、及びポンプディスペンサ部を分解することによって、洗浄することができる。これらの分解も単に係止された蓋部及びポンプディスペンサ部を取り外すのみの極めて簡易な作業である。また、栄養剤収納容器と蓋部とを分離した構成としたことによって、それらの隙間に蓄積しやすい経管栄養剤の洗浄性も向上する。さらには、栄養剤収納容器の開口部を５〜１０ｃｍと広い直径に設計したことにより、経管栄養剤の付着した内部の洗浄が容易となっている。従って、衛生面において優れているとともに、複数回利用することができ、経済的、環境上にも好適である。
【００１１】
栄養剤収納容器は開口部が５〜１０ｃｍのガラス製（広口ガラス瓶）であるため、家庭用のコップ洗浄用スポンジと食器用洗剤を用いるだけで確実な洗浄を簡便に行うことができる。
また、栄養剤収納容器はガラス製であるため、高圧滅菌も可能であり、牛乳瓶やビール瓶のようにリターナブル化も可能でり、滅菌的に経管栄養剤を収納して密閉した栄養剤収納容器を販売し、使用後に回収することも可能である。
また、経管栄養剤は脂肪分を多く含むが、栄養剤収納容器は無機材料であるガラス製のため、経管栄養剤により容器が侵されることがなく、容器内に付着した経管栄養剤を洗浄除去することが容易である。
そして、栄養剤収納容器はガラス製であるため、経管栄養剤を栄養剤収納容器ごと電子レンジを使用して加熱可能であり、経管栄養剤を栄養剤収納容器ごと冷蔵庫に保存可能である。
【００１２】
経管栄養剤の一回の注入が完了するまでの間に、経管栄養剤の注入装置を患者から取り外したり、経管栄養剤を栄養剤収納容器に注ぎ足したりする必要がなく、注入操作中に経管栄養剤がこぼれるおそれが無い。
また、経管栄養剤の注入装置全体の構造が単純で部品点数が少なく特殊な部品を使用しないため、安価に提供できる。
従って、近年増加している老老介護の現場において、経済的に恵まれず体力・知力が衰えた老人の介護者にとっても、経管栄養剤の注入装置を購入して使用することが容易であり、ＰＥＧ栄養療法の普及促進に貢献できる。
【００１３】
栄養剤収納容器の開口部と蓋部とは、係止可能に構成されていることができる。栄養剤収納容器と蓋部を係止させることにより、操作時の安定性を向上させることができる。尚、係止としては、蓋部と開口部との螺合や、蓋部若しくは開口部のいずれか一方に設けられた突起、爪などにより他方に係止されるものであってもよい。或いは、開口部内に蓋部を嵌合させるものであってもよく、容易に作業可能なもので十分である。蓋部は、直径が５〜１０ｃｍの手で把持しやすい形状であるため、係止作業は容易である。
【００１４】
＜第２の局面＞
第２の局面の経管栄養剤の注入装置は、第１の局面において、前記栄養剤収納容器は無色透明なガラス製である。
そのため、栄養剤収納容器内に収容された経管栄養剤の色・性状・量を栄養剤収納容器外から容易に視認可能であり、経管栄養剤の注入が正常に行われていることや、注入が完了したことを介護者が確実に判断できる。
【００１５】
＜第３の局面＞
第３の局面の経管栄養剤の注入装置は、第１の局面または第２の局面において、前記栄養剤収納容器が有底円筒形である。
そのため、栄養剤収納容器内の隅々まで洗浄が容易であり衛生的である。
【００１６】
＜第４の局面＞
第４の局面の経管栄養剤の注入装置は、第１〜第３の局面において、前記栄養剤収納容器内に収容されたチューブを備え、前記チューブの基端部は前記ポンプディスペンサ部に対して着脱可能に挿着され、前記チューブの先端部は前記栄養剤収納容器内の底部に位置する。
【００１７】
チューブはポンプディスペンサ部に対して着脱可能に挿着されるため、チューブとポンプディスペンサ部とをそれぞれ別個に洗浄可能であり衛生的である。
また、チューブの先端部は栄養剤収納容器内の底部に位置するため、栄養剤収納容器内の底部に経管栄養剤を残留させること無く、栄養剤収納容器内の経管栄養剤を全て吐出させることができる。
そして、注入する経管栄養剤の量に合わせて、容量の異なる栄養剤収納容器を使用する場合には、栄養剤収納容器の深さに合わせた長さのチューブに交換することにより、同一の蓋部およびポンプディスペンサ部を様々な容量の栄養剤収納容器に対応させることができる。
【図面の簡単な説明】
【００１８】
【図１】本発明を具体化した一実施形態の経管栄養剤の注入装置１０の概略構成を示す外観図であり、図１（Ａ）は経管栄養剤の注入装置１０の一部上面図、図１（Ｂ）は経管栄養剤の注入装置１０の正面図である。
【発明を実施するための形態】
【００１９】
［経管栄養剤の注入装置１０の構成］
図１に示すように、本実施形態の経管栄養剤の注入装置１０は、栄養剤収納容器１１（底部１１ａ、開口部１１ｂ）、蓋部１２（貫通口１２ａ、雌ねじ１２ｂ）、ポンプディスペンサ部１３（受圧操作部１３ａ、ポンプ部１３ｂ、吐出口部１３ｃ）、内装チューブ１４、外装チューブ１５、継ぎ手１６などから構成されており、胃瘻チューブ（胃瘻カテーテル）１７に取り付けられる。
【００２０】
栄養剤収納容器１１は無色透明なガラス製で有底円筒形であって、栄養剤収納容器１１の底部１１ａの内径φ１に対する栄養剤収納容器１１の開口部１１ｂの内径（直径）φ２が７０％以上の広口瓶であり、開口部１１ｂの内径φ２は５〜１０ｃｍであり、栄養剤収納容器１１の容量は５００ｃｃ以上である。
栄養剤収納容器１１内には、ゲル化した流動物である経管栄養剤Ｆが収容される。
蓋部１２は金属製であり、蓋部１２の中央部には貫通口１２ａが貫通形成され、蓋部１２の外周直径は栄養剤収納容器１１の開口部１１ｂの直径に合わせては５〜１０ｃｍであり、蓋部１２の周壁内面には雌ねじ１２ｂが形成されている。そして、栄養剤収納容器１１の開口部１１ｂには雄ねじ（図示略）が形成されており、その雄ねじに対して蓋部１２の雌ねじ１２ｂをねじ込むことにより、蓋部１２は栄養剤収納容器１１の開口部１１ｂへ螺合される。
【００２１】
ポンプディスペンサ部１３は、受圧操作部１３ａ、ポンプ部１３ｂ、吐出口部１３ｃなどから構成されており、蓋部１２に対して着脱可能に挿着される。
受圧操作部１３ａは、合成樹脂製で上面が略平坦な円盤形であり、蓋部１２から外方へ突出し、蓋部１２が栄養剤収納容器１１に取付固定された状態にて、栄養剤収納容器１１の中心軸Ｌの方向（矢印Ｘ−Ｘ’方向）に往復動する。
ポンプ部１３ｂは、蓋部１２の貫通口１２ａに挿通され、受圧操作部１３ａの往復動に連動して栄養剤収納容器１１内の経管栄養剤Ｆを栄養剤収納容器１１外へ吐出する。
吐出口部１３ｃは、合成樹脂製で略円筒形であり、受圧操作部１３ａに一体形成されて受圧操作部１３ａの側面から突設されており、ポンプ部１３ｂにより栄養剤収納容器１１内から吸い上げられた経管栄養剤Ｆは吐出口部１３ｃから吐出される。
【００２２】
内装チューブ１４はシリコン樹脂製で栄養剤収納容器１１内に収容され、内装チューブ１４の基端部はポンプ部１３ｂに対して着脱可能に挿着され、内装チューブ１４の先端部は栄養剤収納容器１１内の底部１１ａに位置するよう当該チューブ長が設定されており、栄養剤収納容器１１内の経管栄養剤Ｆは内装チューブ１４を通ってポンプ部１３ｂに吸い上げられる。
外装チューブ１５はシリコン樹脂製であり、外装チューブ１５の一端部は吐出口部１３ｃに対して着脱可能に挿着され、外装チューブ１５の他端部には継ぎ手１６を介して胃瘻チューブ１７の先端部が挿着される。
胃瘻チューブ１７の基端部（図示略）は、患者に造設した胃瘻の瘻孔に挿入されて胃内に留置されている。
【００２３】
［経管栄養剤の注入装置１０の使用方法］
経管栄養剤Ｆを作製して栄養剤収納容器１１内に注ぎ込んだ後に、蓋部１２を栄養剤収納容器１１の開口部１１ｂに螺合させる。
そして、蓋部１２にポンプディスペンサ部１３を装着し、ポンプディスペンサ部１３に蓋部１２および各チューブ１４，１５を挿着することにより、経管栄養剤の注入装置１０を組み立てる。
【００２４】
そして、蓋部１２を介護者が手で押さえて経管栄養剤の注入装置１０を安定に固定した状態で、ポンプディスペンサ部１３の受圧操作部１３ａを介護者が手の平で押圧操作して何回か往復動させ、栄養剤収納容器１１内の空気を排出させる。
次に、外装チューブ１５を継ぎ手１６を介して胃瘻チューブ１７の先端部に挿着し、蓋部１２を介護者が手で押さえて経管栄養剤の注入装置１０を安定に固定した状態で、ポンプディスペンサ部１３の受圧操作部１３ａを介護者が手の平で押圧操作して往復動させる。
すると、前記のように、ポンプディスペンサ部１３のポンプ部１３ｂにより栄養剤収納容器１１内の経管栄養剤Ｆが吸い上げられ、内装チューブ１４→ポンプ部１３ｂ→吐出口部１３ｃ→外装チューブ１５→継ぎ手１６→胃瘻チューブ１７の経路で経管栄養剤Ｆが患者の胃内に直接注入される。
【００２５】
［実施形態の作用・効果］
経管栄養剤の注入装置１０によれば、以下の作用・効果を得ることができる。
【００２６】
［１］蓋部１２とポンプディスペンサ部１３とを栄養剤収納容器１１から取り外すことによって、栄養剤収納容器１１の開口部１１ｂから経管栄養剤Ｆを容易に注入することができる。次いで、蓋部１２を栄養剤収納容器１１に螺合させ、さらにポンプディスペンサ部１３を蓋部１２に係止させることによって、極めて容易に経管栄養剤Ｆを収納した注入装置１０を用意することができる。
あるいは、ポンプディスペンサ部１３に蓋部１２および各チューブ１４，１５を挿着しておき、経管栄養剤Ｆを作製して栄養剤収納容器１１内に注ぎ込んだ後に、ポンプディスペンサ部１３が装着された蓋部１２を栄養剤収納容器１１の開口部１１ｂに螺合させることにより、経管栄養剤の注入装置１０を組み立てる。
【００２７】
そして、蓋部１２とポンプディスペンサ部１３とを別々の構成としたことにより、蓋部１２は、手で容易に把持することができる大きさに形成されている。従って、栄養剤収納容器１１とポンプディスペンサ部１３の細いネック部を螺合などによって固定する必要がない、また、ポンプディスペンサ部１３は、単に蓋部１２に係止されていればよい。このため、手先が不自由であったり、或いは握力の衰えた高齢者であっても、極めて容易に設置することができる。
【００２８】
介護者は、ポンプディスペンサ部１３の押圧などの簡単な操作により、ポンプディスペンサ部１３から栄養剤収納容器１１内の経管栄養剤Ｆを吐出させ、経管栄養剤Ｆを患者に注入することができる。
栄養剤収納容器１１は、５００ｍｌ以上の容量を有しているために、患者に対する一回の栄養剤注入量を全て収納することができ、何回も容器に経管栄養剤Ｆを注入する操作を繰り返す必要がない。尚、栄養剤収納容器１１の容量は、一回に必要な経管栄養剤Ｆの注入量に応じて、適宜設定することができる。
【００２９】
経管栄養剤Ｆを注入した後には、栄養剤収納容器１１、蓋部１２、及びポンプディスペンサ部１３を分解することによって、洗浄することができる。これらの分解も単に螺合された蓋部１とポンプディスペンサ部１３とを取り外すのみの極めて簡易な作業である。また、栄養剤収納容器１１と蓋部１２とを分離した構成としたことによって、それらの隙間に蓄積しやすい経管栄養剤Ｆの洗浄性も向上する。さらには、栄養剤収納容器１１の開口部１１ｂを５〜１０ｃｍと広い直径に設計したことにより、経管栄養剤Ｆの付着した内部の洗浄が容易となっている。従って、衛生面において優れているとともに、複数回利用することができ、経済的、環境上にも好適である。
【００３０】
栄養剤収納容器１１は開口部１１ｂが５〜１０ｃｍのガラス製であるため、家庭用のコップ洗浄用スポンジと食器用洗剤を用いるだけで確実な洗浄を簡便に行うことができる。
また、栄養剤収納容器１１はガラス製であるため、高圧滅菌も可能であり、牛乳瓶やビール瓶のようにリターナブル化も可能でり、滅菌的に経管栄養剤Ｆを収納して密閉した栄養剤収納容器１１を販売し、使用後に回収することも可能である。
また、経管栄養剤Ｆは脂肪分を多く含むが、栄養剤収納容器１１は無機材料であるガラス製のため、経管栄養剤Ｆにより容器が侵されることがなく、容器内に付着した経管栄養剤Ｆを洗浄除去することが容易である。
そして、栄養剤収納容器１１はガラス製であるため、経管栄養剤Ｆを栄養剤収納容器１１ごと電子レンジを使用して加熱可能であり、経管栄養剤Ｆを栄養剤収納容器１１ごと冷蔵庫に保存可能である。
【００３１】
経管栄養剤Ｆの一回の注入が完了するまでの間に、経管栄養剤Ｆの注入装置を患者から取り外したり、経管栄養剤Ｆを栄養剤収納容器１１に注ぎ足したりする必要がなく、注入操作中に経管栄養剤Ｆがこぼれるおそれが無い。
また、経管栄養剤Ｆの注入装置全体の構造が単純で部品点数が少なく特殊な部品を使用しないため、安価に提供できる。
従って、近年増加している老老介護の現場において、経済的に恵まれず体力・知力が衰えた老人の介護者にとっても、経管栄養剤Ｆの注入装置を購入して使用することが容易であり、ＰＥＧ栄養療法の普及促進に貢献できる。
【００３２】
［２］蓋部１２は栄養剤収納容器１１に螺合されるため、蓋部１２を栄養剤収納容器１１に取付固定する操作が簡便で取り扱いが容易であることに加え、蓋部１２と栄養剤収納容器１１との取付強度が高く、ポンプディスペンサ部１３の操作時に十分な安定性を確保できる。
特に、知力が衰えた老人の介護者でも、栄養剤収納容器１１に蓋部１２を間違えることなく確実に取付固定することができる。
【００３３】
ところで、栄養剤収納容器１１の開口部１１ｂと蓋部１２とは、螺合に限らず、係止可能に構成すればよく、栄養剤収納容器１１と蓋部１２を係止させることにより、操作時の安定性を向上させることができる。尚、係止としては、蓋部１２若しくは開口部１１ｂのいずれか一方に設けられた突起、爪などにより他方に係止されるものであってもよい。或いは、開口部１１ｂ内に蓋部１２を嵌合させるものであってもよく、容易に作業可能なもので十分である。蓋部１２は、直径が５〜１０ｃｍの手で把持しやすい形状であるため、係止作業は容易である。
【００３４】
［３］栄養剤収納容器１１は無色透明であるため、栄養剤収納容器１１内に収容された経管栄養剤Ｆの色・性状・量を栄養剤収納容器１１外から容易に視認可能であり、経管栄養剤Ｆの注入が正常に行われていることや、注入が完了したことを介護者が確実に判断できる。
加えて、栄養剤収納容器１１は有底円筒形であり、底部１１ａの内径φ１に対する開口部１１ｂの内径φ２が７０％以上の広口瓶であるため、栄養剤収納容器１１内の隅々まで洗浄が容易である。
【００３５】
［４］ポンプディスペンサ部１３の受圧操作部１３ａは栄養剤収納容器１１の中心軸Ｌの方向（矢印Ｘ−Ｘ’方向）に往復動するため、受圧操作部１３ａの押圧操作が簡便で取り扱いが容易である。
特に、体力が衰えた非力な老人の介護者でも、受圧操作部１３ａに自身の体重を掛けることにより、受圧操作部１３ａを容易に押圧操作することができる。
【００３６】
［５］内装チューブ１４はポンプディスペンサ部１３のポンプ部１３ｂに対して着脱可能に挿着されるため、内装チューブ１４とポンプディスペンサ部１３とをそれぞれ別個に洗浄可能であり衛生的である。
また、内装チューブ１４の先端部は栄養剤収納容器１１内の底部１１ａに位置するよう当該チューブ長が設定されているため、栄養剤収納容器１１内の底部１１ａに経管栄養剤Ｆを残留させること無く、栄養剤収納容器１１内の経管栄養剤Ｆを全て吐出させることができる。
そして、注入する経管栄養剤Ｆの量に合わせて、容量の異なる栄養剤収納容器１１を使用する場合には、栄養剤収納容器１１の深さに合わせた長さの内装チューブ１４に交換することにより、同一の蓋部１２およびポンプディスペンサ部１３を様々な容量の栄養剤収納容器１１に対応させることができる。
【００３７】
［６］経管栄養剤の注入装置１０を組み立てて、外装チューブ１５を胃瘻チューブ１７に挿着したならば、経管栄養剤Ｆの一回の注入が完了するまでの間に、経管栄養剤の注入装置１０を胃瘻チューブ１７から取り外したり、経管栄養剤Ｆを栄養剤収納容器１１に注ぎ足したりする必要がなく、注入操作中に経管栄養剤Ｆがこぼれるおそれが無い。
また、経管栄養剤の注入装置１０全体の構造が単純で部品点数が少なく特殊な部品を使用しないため、安価に提供できる。
従って、近年増加している老老介護の現場において、経済的に恵まれず体力・知力が衰えた老人の介護者にとっても、経管栄養剤の注入装置１０を購入して使用することが容易であり、ＰＥＧ栄養療法の普及促進に貢献できる。
【００３８】
尚、経管栄養剤の注入装置１０は、ＰＥＧ栄養療法に限らず、患者の鼻腔から胃に挿入したチューブを介して胃内に栄養剤の経管栄養剤を注入する経腸栄養法に用いてもよく、その場合でも前記作用・効果が得られる。
【００３９】
本発明は、前記局面および前記実施形態の説明に何ら限定されるものではない。特許請求の範囲の記載を逸脱せず、当業者が容易に想到できる範囲で種々の変形態様も本発明に含まれる。本明細書の中で明示した公開特許公報の全ての内容を援用によって引用することとする。
【符号の説明】
【００４０】
１０…経管栄養剤の注入装置
１１…栄養剤収納容器
１１ａ…栄養剤収納容器１１の底部
１１ｂ…栄養剤収納容器１１の開口部
１２…蓋部
１２ａ…蓋部１２の貫通口
１２ｂ…蓋部１２の雌ねじ
１３…ポンプディスペンサ部
１３ａ…受圧操作部
１３ｂ…ポンプ部
１３ｃ…吐出口部
１４…内装チューブ
１５…外装チューブ
１６…継ぎ手
１７…胃瘻チューブ
Ｆ…経管栄養剤
【図１】
2013022157.tif 000003